【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
車両の運転者の動作および行動を分析し評価するためのシステムであって、
前記車両の状態をモニタすると共に、それに対応する未加工データストリームを出力するように機能する車両センサユーティリティと、
前記未加工データストリームを入力し、前記未加工データストリームから、対応する運転イベント表現にそれぞれ関連する複数の異なるパターンを検出して、前記運転イベント表現とそれらの対応値とを含む運転イベントストリングを出力するように機能する運転イベントハンドラーと、
前記運転イベントストリングを入力し、データベースに含まれる運転操作のパターンと前記運転イベントストリングに含まれる一連の前記運転イベント表現とを比較して、前記運転イベントストリングにおける運転操作のパターンを認識することを可能とし、そしてそれに対応する運転操作表現を構築して出力するように機能する操作検出器とを備え、
前記運転操作表現は、少なくとも一つの運転操作の表現を含むシステム。
【請求項２】
前記センサユーティリティは、前記車両の異なる状態をモニタするように機能する複数の車両センサを備える請求項１記載のシステム。
【請求項３】
前記センサユーティリティは、車両加速度をモニタするように機能し、且つ、特定の車両軸に沿って前記車両の加速度に対応する未加工データストリームを出力するように機能する少なくとも一つの加速度計を備えた請求項１または２記載のシステム。
【請求項４】
前記センサユーティリティは、少なくとも２つの加速度計を備え、そのうちの一つは縦方向の加速度を測定し、他の一つは横方向の加速度を測定するように機能する請求項３記載のシステム。
【請求項５】
前記少なくとも一つの運転イベント表現は、１又は２以上の数値パラメータに関連する請求項１ないし４の何れか１項記載のシステム。
【請求項６】
前記複数の異なるパターンのそれぞれは、スタートイベント、エンドイベント、最大イベント、最小イベント、クロスイベント、フラットイベント、局所最大イベント、局所フラットイベントからなるグループのなかから選択される請求項１ないし５の何れか１項記載のシステム。
【請求項７】
前記少なくとも一つの運転操作は、加速、方向転換前の加速、車線変更中の加速、加速して方向転換、停止から加速して方向転換、停止から加速、方向転換から加速、追い越し中の加速、ブレーキング、方向転換後のブレーキング、方向転換前のブレーキング、ブレーキングして停止、方向転換からブレーキング、方向転換中のブレーキング、失敗した車線変更、失敗した追い越し、車線変更、車線変更およびブレーキング、追い越し、追い越し及びブレーキング、方向転換、方向転換および加速、Ｕターンからなるグループの中の１又は２以上である請求項１ないし６の何れか１項記載のシステム。
【請求項８】
前記少なくとも一つの運転操作表現は１又は２以上の数値パラメータを含む請求項７記載のシステム。
【請求項９】
前記少なくとも一つの運転操作に基づき前記運転者の技能を分析するように機能する技能評価ユーティリティを更に備えた請求項１ないし８の何れか１項記載のシステム。
【請求項１０】
前記少なくとも一つの運転操作に基づき前記運転者の姿勢を分析するように機能する技能評価ユーティリティを更に備えた請求項１ないし９の何れか１項記載のシステム。
【請求項１１】
特徴的運転操作表現を記録するように機能するデータベースと、
前記少なくとも一つの運転操作表現を前記特徴的運転操作表現と比較するように機能する異常検出器と
を更に備えた請求項１ないし１０の何れか１項記載のシステム。
【請求項１２】
前記データベースは前記運転者についての特徴的運転操作表現を記録し、前記異常検出器は、前記少なくとも一つの運転操作表現を前記運転者についての前記特徴的運転操作表現と比較する請求項１１記載のシステム。
【請求項１３】
報告を出力するように機能する分析器を更に備えた請求項１ないし１２の何れか１項記載のシステム。
【請求項１４】
車両の状態をモニタするように機能するセンサのセットから入力される未加工データストリームに基づいて、前記車両の運転者の動作および行動を分析し評価するための方法であって、
（ａ）前記未加工データストリームから、対応する運転イベント表現にそれぞれ関連する複数の異なるパターンを検出して、前記運転イベント表現とそれらの対応値とを含む運転イベントストリングを生成するステップと、
（ｂ）データベースに含まれる運転操作のパターンと前記運転イベントストリングに含まれる一連の前記運転イベント表現とを比較し、前記運転イベントストリングにおける運転操作のパターンを認識し、少なくとも一つの運転操作の表現を含む運転操作表現を生成するステップと
を含む方法。
【請求項１５】
前記未加工データストリームは、前記車両の異なる状態をモニタするように機能する複数の車両センサからなるセンサユーティリティによって生成される請求項１４記載の方法。
【請求項１６】
前記未加工データストリームは、複数の加速度計からなるセンサユーティリティによって生成され、前記複数の加速度計のうちの一つは、縦方向の加速度を測定し、前記複数の加速度計のうちの他の一つは、横方向の加速度を測定するように機能する請求項１５記載の方法。
【請求項１７】
前記少なくとも一つの運転イベント表現は、スタートイベント、エンドイベント、最大イベント、最小イベント、クロスイベント、フラットイベント、局所最大イベント、局所フラットイベントからなるグループのなかの１又は２以上である運転イベントに対応する請求項１４ないし１６の何れか１項記載の方法。
【請求項１８】
前記少なくとも一つの運転操作表現は、加速、方向転換前の加速、車線変更中の加速、加速して方向転換、停止から加速して方向転換、停止から加速、方向転換から加速、追い越し中の加速、ブレーキング、方向転換後のブレーキング、方向転換前のブレーキング、ブレーキングして停止、方向転換からブレーキング、方向転換中のブレーキング、失敗した車線変更、失敗した追い越し、車線変更、車線変更およびブレーキング、追い越し、追い越し及びブレーキング、方向転換、方向転換および加速、Ｕターンからなるグループの中の１又は２以上である運転操作に対応する請求項１４ないし１７の何れか１項記載の方法。
【請求項１９】
前記運転操作表現は１又は２以上の数値パラメータを含む請求項１４ないし１８の何れか１項記載の方法。
【請求項２０】
前記運転操作表現から、運転者の技能を評価するステップを更に備えた請求項１４ないし１９の何れか１項記載の方法。
【請求項２１】
前記運転操作表現から、前記運転操作に基づき前記運転者の姿勢を評価するステップを更に備えた請求項１４ないし２０の何れか１項記載の方法。
【請求項２２】
前記運転操作表現を特徴的運転操作表現と比較するステップを更に備えた請求項１４ないし２０の何れか１項記載の方法。
【請求項２３】
前記特徴的運転操作表現は、前記運転者に特有である請求項２２記載の方法。
【請求項２４】
前記運転者の行動に関する方向を出力するステップを更に備えた請求項１４ないし２３の何れか１項記載の方法。
【請求項２５】
前記操作検出器に供給される前記運転イベントストリングは、前記未加工データストリームの圧縮表現である請求項１記載のシステム。
【請求項２６】
前記運転イベントストリングは、前記車両から前記操作検出器に無線で伝送される請求項１記載のシステム。
【請求項２７】
運転操作に関連する一連の運転イベント表現に対応する値を入力して、その値から、前記運転操作の実行中に受ける危険を反映する全体危険率を導出し、前記危険率に基づいて前記車両の運転者の動作を評価するように機能する評価手段を更に備えた請求項１記載のシステム。
【請求項２８】
前記複数の異なるパターンのそれぞれは、スタートイベント、エンドイベント、最大イベント、最小イベント、クロスイベント、局所最大イベント、局所最小イベント、局所フラットイベント、フラットイベントからなるグループのなかから選択される請求項１４項記載の方法。
【請求項２９】
前記運転イベントストリングは、前記未加工データストリームの圧縮表現である請求項１４記載の方法。
【請求項３０】
運転操作に関連する一連の運転イベント表現に対応する値を入力して、その値から、前記運転操作の実行中に受ける危険を反映する全体危険率を導出し、前記危険率に基づいて前記車両の運転者の動作を評価するステップを更に含む請求項１４記載の方法。